(57)【要約】【課題】天井埋め込み型の照明装置において、視野に入る不快なグレアを低減する。【解決手段】実施形態の一例である天井埋込型の照明装置１０は、発光モジュール２０と、レンズ４０（第１配光制御部材）と、枠体５０（第２配光制御部材）とを備える。枠体５０は、装置下端側に向かって内径が拡大した筒状の拡径部６０を有する。拡径部６０の第１開口６１の径は、レンズ４０の光出射面４１の径よりも小さい。【選択図】図３
2019121492.tif 000002
【特許請求の範囲】
【請求項１】
天井埋込型の照明装置であって、
発光モジュールと、
前記発光モジュールから出射された光を制御する第１配光制御部材と、
前記第１配光制御部材から出た光を制御する第２配光制御部材と、
を備え、
前記第２配光制御部材は、前記第１配光制御部材側に形成された第１開口と、装置下端側に形成された、前記第１開口よりも大きな第２開口とを含む筒状の拡大部を有し、
前記拡大部の前記第１開口の開口面積は、前記第１配光制御部材の光出射面の面積よりも小さい、照明装置。
【請求項２】
前記第２配光制御部材は、前記第１配光制御部材と前記拡大部の前記第１開口との間に、前記第１開口側に向かって内周長が縮小した筒状の縮小部を有し、
前記縮小部の内面は、前記第１配光制御部材から出た光の一部を吸収する光吸収面である、請求項１に記載の照明装置。
【請求項３】
前記第１配光制御部材は、前記拡大部の前記第１開口およびその近傍で焦点を結ぶように発光モジュールから出射された光を制御する、請求項１または２に記載の照明装置。
【請求項４】
前記第１配光制御部材の外周面を覆い、当該外周面からもれた光を前記第１配光制御部材内に反射させる光反射部をさらに備える、請求項１〜３のいずれか１項に記載の照明装置。
【請求項５】
前記発光モジュールを支持するホルダをさらに備え、
前記ホルダは、前記第１配光制御部材が挿入される凹部を有し、当該凹部の内面が前記光反射部として機能する、請求項４に記載の照明装置。
【請求項６】
前記拡大部の内面の接線と前記拡大部の中心軸とがなす角度θ１、または前記拡大部の前記第１開口の縁部および前記第２開口の縁部を結ぶ仮想線と前記中心軸とがなす角度θ２は、装置の１／２ビーム角度の１／２に相当する角度よりも大きい、請求項１〜５のいずれか１項に記載の照明装置。
【請求項７】
前記第１配光制御部材の前記光出射面と、前記拡大部の前記第１開口との距離ｈは、前記第１開口の開口寸法をφ１、前記光出射面の直径をφ２としたとき、下記式１または式２の条件を満たす、請求項６に記載の照明装置。
（式１）ｈ≧（φ２−φ１）／２×ｔａｎθ１
（式２）ｈ≧（φ２−φ１）／２×ｔａｎθ２
【発明の詳細な説明】
【技術分野】
【０００１】
本開示は、照明装置に関し、より詳しくは天井埋込型の照明装置に関する。
【背景技術】
【０００２】
天井埋込型の照明装置としては、発光モジュールと、当該モジュールを収容する装置本体と、装置本体に固定された筒状の枠体とを備えた、所謂ダウンライトが広く知られている（例えば、特許文献１参照）。特許文献の照明装置には、発光モジュールから出射された光を制御する配光制御部材としてレンズが設置されている。レンズは、枠体の上部開口から枠体内に突出した状態で配置されている。
【先行技術文献】
【特許文献】
【０００３】
【特許文献１】特開２０１７−１６２６９５号公報
【発明の概要】
【発明が解決しようとする課題】
【０００４】
天井埋込型の照明装置において、視野に入る不快なグレアを低減することは重要な課題である。特許文献１に開示されるように、レンズを用いて配光を制御することにより、グレアをある程度低減することは可能であるが、さらなる改善が求められている。
【課題を解決するための手段】
【０００５】
本開示の一態様である照明装置は、天井埋込型の照明装置であって 、発光モジュールと、前記発光モジュールから出射された光を制御する第１配光制御部材と、前記第１配光制御部材から出た光を制御する第２配光制御部材とを備え、前記第２配光制御部材は、前記第１配光制御部材側に形成された第１開口と、装置下端側に形成された、前記第１開口よりも大きな第２開口とを含む筒状の拡大部を有し、前記拡大部の前記第１開口の開口面積は、前記第１配光制御部材の光出射面の面積よりも小さいことを特徴とする。
【発明の効果】
【０００６】
本開示の一態様によれば、天井埋め込み型の照明装置において、視野に入る不快なグレアを低減することができる。
【図面の簡単な説明】
【０００７】
【図１】実施形態の一例である照明装置を下方から見た斜視図である。
【図２】実施形態の一例である照明装置を上方から見た分解斜視図である。
【図３】実施形態の一例である照明装置の断面図である。
【図４】実施形態の一例である照明装置の光路を示す図である。
【図５】実施形態の一例であるホルダおよび第１配光制御部材を示す斜視図である。
【図６】実施形態の一例である第２配光制御部材の断面図である。
【図７】第２配光制御部材の変形例を示す図である。
【図８】第１配光制御部材の光出射面と拡大部の第１開口との好適な距離の一例を示す図である。
【図９】実施形態の他の一例である照明装置を上方から見た分解斜視図である。
【図１０】実施形態の他の一例である照明装置の断面図である。
【発明を実施するための形態】
【０００８】
上述のように、天井埋め込み型の照明装置において、視野に入る不快なグレアを低減することは重要な課題である。なお、枠体の反射面を所定値以上の高さとし、光源を直視できる領域を狭めることでグレアを抑制する方法も知られている。しかし、この方法では、光源のグレアは抑制できても、枠体の反射面によるグレアを抑制することは困難である。また、枠体の反射面を鏡面とし、光源からの光を直下へ鏡面反射する形状とすることで、斜めから枠体を見上げたときに光源が映りこまなくする方法も知られている（例えば、特開２０１０−１０８８５９号公報）。しかし、この方法は枠体が鏡面である必要があり、白色面など拡散性の高い反射面は適用できない。
【０００９】
以下、図面を参照しながら、本開示に係る照明装置の実施形態の一例について詳細に説明する。
【００１０】
本開示に係る照明装置は、例えば図書館、駅等の公共施設、デパート等の商業施設、店舗、オフィス、住居、工場等の室内、通路などにおいて水平な天井に取り付けられるが、水平方向および鉛直方向に対して傾斜した天井に取り付けることも可能である。照明装置が取り付けられる天井は、建築空間の上方を区画する部位であればよく、玄関ポーチ、テラスなどの天井であってもよい。
【００１１】
図１は、実施形態の一例である照明装置１０を下方から見た斜視図である。図２は、照明装置１０を上方から見た分解斜視図である。図３は照明装置１０を上下方向に切断した断面図、図４は図３において照明装置１０の光路を示す図である。
【００１２】
図１〜図３に例示するように、照明装置１０は、発光モジュール２０と、発光モジュール２０から出射された光を制御するレンズ４０（第１配光制御部材）と、レンズ４０から出た光を制御する枠体５０（第２配光制御部材）とを備える。枠体５０は、軸方向両端が開口した筒状体であって、レンズ４０側に形成された第１開口６１と、装置下端側に形成された、第１開口６１よりも大きな第２開口６２とを含む筒状の拡大部を有する。
【００１３】
第１開口６１および第２開口６２の形状は、特に限定されず、例えば楕円形状、真円形状、四角形状等であってもよいが、本実施形態では略真円形状であるものとして説明する。枠体５０は、拡大部として、装置下端側に向かって内径（内周長）が拡大した筒状の拡径部６０を有する。
【００１４】
照明装置１０は、枠体５０の第２開口６２を鉛直下方に向けた状態で天井の埋込孔に挿入される天井埋込型の照明装置であって、一般的にダウンライトと呼ばれる。本明細書では、説明の便宜上、照明装置１０を水平な天井に取り付けた状態で、照明装置１０の鉛直上方側を「上」、鉛直下方側を「下」とする。以下では、第１配光制御部材としてレンズ４０を、第２配光制御部材として枠体５０および第２配光制御部材７０をそれぞれ例示するが、各配光制御部材はこれらに限定されない。
【００１５】
詳しくは後述するが、拡径部６０の第１開口６１の開口面積は、レンズ４０の光出射面４１の面積よりも小さい。本実施形態では、第１開口６１および光出射面４１が略真円形状であるから、第１開口６１の径は光出射面４１の径よりも小さいと言える。なお、人の視野は水平方向に対して上下約３０°と言われている。光出射面４１から距離をあけて配置された光の取り出し口である第１開口６１の径を光出射面４１の径よりも小さくすることで、光の広がりを抑えて視野に入る不快なグレアを低減することができる。
【００１６】
照明装置１０は、発光モジュール２０を収容する装置本体１１を備える。照明装置１０では、装置本体１１の内部にレンズ４０が収容されている。また、装置本体１１の内部には、発光モジュール２０を支持するホルダ３０が設けられている。発光モジュール２０、ホルダ３０、およびレンズ４０が内部に配置された装置本体１１は、枠体５０の上部に固定されている。なお、レンズ４０はホルダ３０に固定されていてもよい。
【００１７】
照明装置１０は、上部に装置本体１１が、下部に枠体５０がそれぞれ設けられ、装置本体１１の内部において、ホルダ３０およびレンズ４０が上から順に配置された構造を有する。図４に例示するように、発光モジュール２０から出射された光は、第１配光制御部材であるレンズ４０を通って、第２配光制御部材である枠体５０に導入される。レンズ４０の光出射面４１から出射された光は、枠体５０内に形成された後述の縮径部５６を通り、第１開口６１から拡径部６０に導入される。そして、拡径部６０の第２開口６２から装置外部に、即ち室内等に出射される。
【００１８】
装置本体１１に収容された発光モジュール２０は、例えば複数の光源が基板に実装された構造を有する。光源は、半導体発光素子であることが好ましく、中でもＬＥＤ（Ｌｉｇｈｔ  Ｅｍｉｔｔｉｎｇ  Ｄｉｏｄｅ）が特に好ましい。発光素子は、蛍光体を含む封止層で封止されていてもよい。この場合、光源は、蛍光体によって発光素子の光の一部をより長波長の光に変換することで白色光を出射する。基板には、金属配線が形成された回路基板を適用できる。発光モジュール２０は、放熱シート２１を介して装置本体１１に熱を逃がしている。放熱シート２１は、例えばシリコーン樹脂等で構成されるシートである。放熱シート２１の代わりに、また当該シートと共に、放熱グリスを用いてもよい。
【００１９】
装置本体１１は、有底筒状のベース１２と、ベース１２の天板部１２Ａに立設した複数の放熱フィン１３，１４とを有する。各放熱フィン１３は、天板部１２Ａの中央を中心として放射状に形成されている。各放熱フィン１４は、ベース１２の筒壁部１２Ｂから径方向に延出しており、一部が天板部１２Ａにかかるように形成されている。各放熱フィン１４は、互いに略平行に配置されている。なお、放熱フィンの形状等は特に限定されず、また装置本体は放熱フィンを有していなくてもよい。
【００２０】
ベース１２の天板部１２Ａには、ネジ１８が挿通される複数の貫通孔１６が形成されている。ホルダ３０は、ネジ１８の締結部３４を有する。ホルダ３０は、貫通孔１６を介してベース１２の内部に挿し込まれるネジ１８により天板部１２Ａの内面に固定される。また、天板部１２Ａには、発光モジュール２０に接続されるリード線を通す開口部（図示せず）が形成されている。照明装置１０は、リード線と開口部との隙間を塞ぐ封止部材２３を備えていてもよい。
【００２１】
ベース１２の下端開口の周縁には、径方向外側に張り出した円環状のフランジ部１５が形成されている。フランジ部１５には、ネジ１９が挿通される複数の貫通孔１７が形成されている。枠体５０は、ネジ１９の締結部５５を有し、ネジ１９を用いて装置本体１１の下部に固定される。換言すると、装置本体１１は、枠体５０の上端開口を塞ぐように、枠体５０の上部にネジ止めされる。
【００２２】
装置本体１１は、例えばアルミニウム、鉄等を主成分とする金属材料を、プレス加工、ヘラ絞り加工、またはダイカスト成形して製造される（枠体５０についても同様）。ただし、装置本体１１は樹脂材料で構成されてもよい。本実施形態の装置本体１１は、ダイカスト成形で製造できる。装置本体１１の筒壁部１２Ｂは略円筒形状を有するが、筒壁部の形状はこれに限定されず、軸方向に垂直な断面が矩形形状の筒状体であってもよい。
【００２３】
以下、図１〜図４に加えて、図５および図６を適宜参照しながら、ホルダ３０、第１配光制御部材であるレンズ４０、および第２配光制御部材である枠体５０（特に、縮径部５６、拡径部６０）について詳説する。図５はホルダ３０およびレンズ４０の斜視図、図６は枠体５０の断面図である。
【００２４】
ホルダ３０は、有底筒状体であって、発光モジュール２０を支持する保持部３１を有する。ホルダ３０の底部中央には、発光モジュール２０から出射する光を通すための窓孔３２が形成されている。保持部３１は、窓孔３２の周縁部に形成され、発光モジュール２０に係合する。即ち、ホルダ３０は、中央に窓孔３２が形成された略円環形状の底部と、底部の周縁部に立設して略円筒状に形成された側壁部とを有する。また、ホルダ３０の底部にはネジ１８が締結される締結部３４が立設している。
【００２５】
ホルダ３０において、発光モジュール２０は、光源が実装された面を窓孔３２側に向けた状態で支持される。発光モジュール２０は、例えば装置本体１１の天板部１２Ａの内面に当接し、天板部１２Ａとホルダ３０の底部とによって挟持される。ホルダ３０の下方にはレンズ４０が配置され、窓孔３２を介して下方に出射された発光モジュール２０の光はレンズ４０内に導入され、レンズ４０によって配光制御される。
【００２６】
図３および図５に例示するように、ホルダ３０は、レンズ４０が挿入される凹部３３を有する。本実施形態では、ホルダ３０の底部が、側壁部から中央の窓孔３２に向かって次第に装置本体１１の天板部１２Ａに近づくように傾斜しており、凹部３３がホルダ３０の底部外面に形成されている。照明装置１０では、レンズ４０の上部がホルダ３０の凹部３３に挿入され、レンズ４０の外周面４２の少なくとも一部が凹部３３の内面（ホルダ３０の底部外面）で覆われている。外周面４２は、凹部３３の内面に当接していてもよい。
【００２７】
照明装置１０は、レンズ４０の外周面４２を覆い、外周面４２からもれた光をレンズ４０内に反射させる光反射部を備えることが好ましい。光反射部として外周面４２を覆う部材を別途設けてもよいが、本実施形態では凹部３３の内面が光反射部として機能する。この場合、凹部３３の内面には、光の反射率を高めるために、反射率の高いフィラー（例えば、酸化チタン等の白色顔料）を含有する塗膜が形成されていてもよい。また、凹部３３の内面には、蒸着、メッキ、スパッタリング等により反射率の高い金属層、無機化合物層などが形成されていてもよい。
【００２８】
レンズ４０は、上述の通り、発光モジュール２０から出射される光を制御する第１配光制御部材として機能する。レンズ４０は、例えばアクリル系樹脂 （ＰＭＭＡ）、ポリカーボネート（ＰＣ）等の透明性の高い樹脂、またはガラスなどで構成される。レンズ４０の径方向断面および光出射面４１は、略真円形状である。レンズ４０は、光の入射側端（上端）から光の出射側端（下端）に向かって次第に直径が大きくなった末広がりの形状を有する。レンズ４０の外周面４２は、下端に近づくほど径方向外側に位置するように傾斜している。
【００２９】
レンズ４０の外周面４２は、例えば発光モジュール２０の光を全反射するように構成された全反射面である。しかし、発光モジュール２０の光を全て反射させることは難しく、一部の光はレンズ４０の外部にもれる。本実施形態では、ホルダ３０の凹部３３の内面によって外周面４２が覆われているので、外周面４２から出た光は凹部３３の内面で反射してレンズ４０内に戻る。このように、凹部３３の内面を光反射部として機能させることで、光の利用効率を高めることができる。
【００３０】
レンズ４０は、上端から上下方向中央部にわたって形成された凹部４３を有する。凹部４３の底面は上方に凸の湾曲形状を有し、光出射面４１は湾曲した凹部４３の底面と上下方向に重なる範囲に下方に凸の湾曲面４１ａを有する。図４に例示するように、発光モジュール２０から出射される光の多くは凹部４３に導入され、一部は光出射面４１の湾曲面４１ａを通って湾曲面４１ａから出射される。凹部４３に導入された光の他の一部は、全反射面である外周面４２で反射し、或いは凹部３３の内面で反射して、光出射面４１の湾曲面４１ａ以外の領域（平坦面）から出射される。
【００３１】
レンズ４０は、ホルダ３０に固定されてもよいが、本実施形態では枠体５０に支持されている。レンズ４０は、下端部に形成された張出部４４を有する。張出部４４は、径方向外側に張り出した円環状部分であって、レンズ４０の固定に利用される。張出部４４は、枠体５０の筒壁部５１上に載置され、装置本体１１が枠体５０にネジ止めされた状態で、装置本体１１と枠体５０とによって上下から挟持される。
【００３２】
張出部４４の周縁部には、装置本体１１と張出部４４との隙間を塞ぐパッキン４６が取り付けられていてもよい。パッキン４６を設けることで、例えばレンズ４０が安定に固定されると共に、装置本体１１内への虫、埃等の侵入を防ぐことができる。また、パッキン４６を設けることで、レンズ４０と装置本体１１や枠体５０との熱膨張差により生じる異音対策などを 図ることもできる。
【００３３】
ここで、レンズ４０の光出射面４１とは、凹部４３に入射して、凹部４３の底面と湾曲面４１ａとで制御された光が出射する面と、凹部４３の側面と外周面４２または凹部３３の内面とで制御された光が出射する面とを指す。張出部４４の下面からも僅かに光が出射するが、上述の制御された光が出射する面ではないため、張出部４４の下面は光出射面４１には含まれない。
【００３４】
枠体５０は、上述の通り、レンズ４０から出た光を制御する第２配光制御部材として機能する。枠体５０は、上下両端が開口した略円筒形状を有する。ただし、枠体５０の内径は一定ではなく、枠体５０の下部には下端側に向かって内径が拡大した拡径部６０が形成されている。枠体５０（拡径部６０）の下端には、第２開口６２が形成されており、上端開口から枠体５０内に導入された光は下端開口である第２開口６２から装置外部に出射される。
【００３５】
また、枠体５０の上部には、第１開口６１側に向かって内周長が縮小した筒状の縮小部が存在する。本実施形態では、縮小部として、枠体５０の上端開口から第１開口６１に近づくほど次第に直径が小さくなった略円筒状の縮径部５６が設けられている。レンズ４０から出た光は、縮径部５６の筒内を通って拡径部６０に導入される。
【００３６】
枠体５０には、照明装置１０を天井に取り付けるための取付バネ５２が固定されていてもよい。取付バネ５２は、板バネ構造を有し、水平方向に延びている。照明装置１０は、取付バネ５２が天井裏空間において天井の埋め込み孔の周囲に当接することで天井に固定される。本実施形態では、枠体５０の筒壁部５１の外面に形成されたバネ固定部５３に取付バネ５２が固定されている。バネ固定部５３は、取付バネ５２の一端部を挿し込み可能な構造を有し、枠体５０の径方向に並んで２つ形成されている。なお、取付バネ５２およびバネ固定部５３の数は特に限定されず、例えば３つであってもよい。
【００３７】
枠体５０は、筒壁部５１と、筒壁部５１の下端部に形成されたフランジ部５４とを有する。照明装置１０は、装置本体１１および枠体５０の上部が埋め込み孔から天井裏空間に挿入され、フランジ部５４が天井面の埋め込み孔の周縁に略当接した状態で、天井に取り付けられる。本実施形態では、筒壁部５１に形成された溝によって、筒壁部５１の上部が外壁５１Ａと内壁５１Ｂとに分かれている。そして、外壁５１Ａには装置本体１１のフランジ部１５が載置され、内壁５１Ｂにはレンズ４０が載置されている。
【００３８】
外壁５１Ａには、装置本体１１を固定するためのネジ１９が締結される複数の締結部５５が設けられている。ネジ１９は、外壁５１Ａに載置されたフランジ部１５の貫通孔１７に挿通されて締結部５５に締結される。これにより、装置本体１１が枠体５０にネジ止めされる。
【００３９】
枠体５０は、上部に縮径部５６を有し、下部に拡径部６０を有する。拡径部６０の第１開口６１は、例えば枠体５０の上下方向中央部に形成される。この場合、縮径部５６と拡径部６０の上下方向長さは略同じである。なお、レンズ４０の光出射面４１と第１開口６１との好適な距離の詳細については後述する。
【００４０】
縮径部５６は、第１開口６１側に向かって内径が縮小するテーパー状に形成された部分であって、レンズ４０と拡径部６０との間に設けられている。縮径部５６の断面は、略真円形状を有する。縮径部５６は、内壁５１Ｂに囲まれた空間であって、内壁５１Ｂの下端部が上端部よりも内側に位置するように内壁５１Ｂを傾斜させることで形成される。また、縮径部５６の内面は、後述するように光吸収面であることが好ましい。縮径部５６を設けることで、光の広がりを抑えて視野に入る不快なグレアを低減することが容易になる。
【００４１】
縮径部５６の下端における内径は、例えば上端における内径の７０％〜９５％である。縮径部５６の上端における内径は、レンズ４０の光出射面４１の径より小さくてもよく、大きくてもよい。本実施形態では、縮径部５６の上端の内径が、光出射面４１の径と略同一、または光出射面４１の径よりやや大きく形成されている。縮径部５６の下端における内径は、光出射面４１の径より小さいことが好ましい。
【００４２】
縮径部５６の内面は、レンズ４０から出た光の一部を吸収する黒色等の光吸収面であることが好ましい。縮径部５６の内面を光吸収面とした場合、光の利用効率は低下するものの、縮径部５６の内面に当たる光を吸収してカットできるので、レンズ４０から出た光をさらに絞ることができ、グレアの低減機能が向上する。縮径部５６の内面には、光吸収率の高いフィラー（例えば、カーボンブラック等の黒色顔料）を含有する塗膜が形成されていてもよい。また、蒸着、メッキ、スパッタリング等により光を吸収する金属層、無機化合物層などが形成されていてもよい。或いは、枠体５０が光吸収率の高い材料で構成されていてもよい。
【００４３】
一方で、凹部３３の内面と同様に、縮径部５６の内面はレンズ４０から出た光の一部を反射する光反射面であってもよい。縮径部５６の内面を光反射面とした場合、グレアの低減機能は低下するが、光の利用効率を高めることができる。
【００４４】
縮径部５６の下端部には、縮径部５６の下端開口を塞ぐように透光性カバー５７が取り付けられている。透光性カバー５７は、透明な樹脂またはガラスで構成され、レンズ機能を有していてもよい。透光性カバー５７は、拡径部６０の第１開口６１の径よりも大きな径を有し、縮径部５６と拡径部６０の境界部分に配置される。また、透光性カバー５７の周縁部には、縮径部５６の内面とカバーとの隙間を塞ぐパッキン５８が取り付けられている。パッキン５８を設けることで、例えば透光性カバー５７が安定に固定されると共に、縮径部５６内への虫、埃等の侵入を防ぐことができる。
【００４５】
拡径部６０は、上述の通り、第２開口６２側に向かって内径が拡大した末広がりの形状を有する。拡径部６０は、上端から下端に近づくほど次第に内径が大きくなっている。拡径部６０の内面の径方向断面は、略真円形状を有することが好ましい。拡径部６０の下端における内径、即ち第２開口６２の径は、例えば上端における内径、即ち第１開口６１の径の１５０％〜２５０％である。
【００４６】
第１開口６１は、上述の通り、レンズ４０の光出射面４１の径よりも小さい。光出射面４１、第１開口６１、および第２開口６２は、いずれも略真円形状であることが好ましい。図５において、点線で囲まれた範囲が光出射面４１であり、光出射面４１よりも一回り小さい一点鎖線で囲まれた範囲が第１開口６１の大きさに対応する領域Ｒ６１である。なお、レンズ４０は、光出射面４１の中心と第１開口６１の中心とが上下方向に重なるように配置される。レンズ４０の中央部には、湾曲面４１ａが形成されており、湾曲面４１ａの中心と第１開口６１の中心とが上下方向に重なることが好適である。
【００４７】
第１開口６１は、上述のように、枠体５０の上下方向中央部に形成されている。第１開口６１は、枠体５０の上下方向中央よりも下端側に形成されていてもよい。第１開口６１を枠体５０の上端から離れた位置に形成することで、第１開口６１からレンズ４０の光出射面４１を遠ざけることができ、グレアの低減機能が向上する。拡径部６０の上下方向長さとガイド部材９０の上下方向長さとの比率は、例えば４：６〜６：４であり、略同一であってもよい。
【００４８】
照明装置１０において、レンズ４０は、装置内で焦点を結ぶように発光モジュール２０から出射された光を制御することが好ましい。レンズ４０は、拡径部６０内、または拡径部６０の第１開口６１およびその近傍で焦点を結ぶように発光モジュール２０の光を制御することが特に好ましい。この場合、照明装置１０の温度上昇を抑えながら、グレアの低減機能を高めることができる。かかる焦点位置は、例えばレンズ４０の形状、枠体５０の上端から第１開口６１までの上下方向長さ（光出射面４１から第１開口６１までの距離ｈ）、拡径部６０の上下方向長さ等を調整することで制御できる。
【００４９】
図６に例示するように、拡径部６０の内面６３は、内側に凸の湾曲面である。この場合、拡径部６０の内面６３の接線βと拡径部６０の中心軸αとがなす角度θ１は、照明装置１０の１／２ビーム角度の１／２に相当する角度よりも大きいことが好ましい。角度θ１のうち、内面６３の上端部の接線βと中心軸αとがなす角度が最も小さくなるが、当該角度も１／２ビーム角度の１／２に相当する角度よりも大きい。この場合、拡径部６０の内面６３に光が当たり難くなり、グレアの低減機能が向上する。拡径部６０の内面６３は、例えば拡径部６０の上下方向中央部で曲率が大きくなるように湾曲していてもよい。
【００５０】
図７は、枠体５０の変形例を示す図である。図７に例示するように、拡径部６０ｘの内面６３ｘは、外側に凸の湾曲面であってもよい。この場合、第１開口６１ｘの縁部および第２開口６２ｘの縁部を結ぶ仮想線γと拡径部６０ｘの中心軸αとがなす角度θ２が、照明装置１０の１／２ビーム角度の１／２に相当する角度よりも大きいことが好ましい。角度θ２を当該範囲に設定することで、拡径部６０の場合と同様に、内面６３ｘに光が当たり難くなり、グレアの低減機能が向上する。
【００５１】
照明装置１０の１／２ビーム角度は、配光測定装置により測定できる。照明装置１０の１／２ビーム角度は、例えば１０°〜６０°であり、好ましくは約４０°である。１／２ビーム角度は、レンズ４０の凹部４３の底面と湾曲面４１ａの曲率、および凹部４３の側面の角度と外周面４２、ホルダ３０の凹部３３の曲率等を調整することで制御できる。
【００５２】
図８は、拡径部６０の内面６３が内側に凸の湾曲面である場合のレンズ４０の光出射面４１と拡径部６０の第１開口６１との好適な距離ｈの一例を示す図である。距離ｈは、第１開口６１の直径（開口寸法）をφ１、光出射面４１の直径をφ２としたとき、下記式１の条件を満たすことが好適である。
（式１）ｈ≧（φ２−φ１）／２×ｔａｎθ１
式１に基づく距離ｈは、最も小さな角度θ１を用いて算出されることが好ましい。
また、拡径部６０ｘの場合、距離ｈは、第１開口６１ｘの直径（開口寸法）をφ１、光出射面４１の直径をφ２としたとき、下記式２の条件を満たすことが好適である。
（式２）ｈ≧（φ２−φ１）／２×ｔａｎθ２
【００５３】
以上のように、上記構成を備えた天井埋め込み型の照明装置１０によれば、光の広がりを抑えて視野に入る不快なグレアを低減することができる。照明装置１０において、発光モジュール２０から出射された光は、レンズ４０および枠体５０によって配光制御され、拡径部６０の第２開口６２から装置外部に出射される。レンズ４０の光出射面４１から出た光は、例えば縮径部５６によってさらに絞られ、拡径部６０の内面６３を明るく照らすことなく、狭いビーム角度で室内等に照射される。特に、レンズ４０の光出射面４１（平坦面）と拡径部６０の第１開口６１との距離ｈが、上式の条件を満たす場合、グレアの低減機能がさらに向上する。
【００５４】
図９および図１０に、実施形態の他の一例である照明装置１００を示す。図９は照明装置１００の分解斜視図、図１０は照明装置１００の断面図である。以下では、上述の実施形態と同様の構成要素には同じ符号を用いて重複する説明を省略する。
【００５５】
図９および図１０に例示するように、照明装置１００では、第２配光制御部材７０が枠体８０とガイド部材９０とで構成されている点で、第２配光制御部材が枠体５０で構成された照明装置１０と異なる。ガイド部材９０は、枠体８０内において拡径部６０の上方に配置されている。枠体８０の上部には、ガイド部材９０を収容可能な上部空間が存在する。ガイド部材９０は、軸方向両端が開口した筒状体であって、レンズ４０から出た光を拡径部６０の第１開口６１に導く機能を有する。ガイド部材９０は、例えば装置本体１１および枠体８０と同様に、金属材料で構成されてもよく、樹脂材料で構成されてもよい。
【００５６】
ガイド部材９０は、拡径部６０の第１開口６１側に向かって内径が縮小した筒状の縮径部９１を有し、レンズ４０と拡径部６０との間に設けられている。縮径部９１は、断面略真円形状を呈し、上端から下端に近づくほど次第に内径が小さくなったテーパー状に形成されている。照明装置１００では、縮径部９１を有するガイド部材９０を枠体８０の上部に配置することで、第２配光制御部材７０に縮径部９１を設けている。照明装置１０の場合と同様に、縮径部９１を拡径部６０の上方に設けることで、レンズ４０から出た光を絞ることができる。縮径部９１の形状としては、上述した縮径部５６と同様の形状が適用できる。
【００５７】
ガイド部材９０は、上端部に形成されたフランジ部９２を有する。フランジ部９２は、ガイド部材９０の上端開口の周縁部において、径方向外側に張り出して円環状に形成されている。フランジ部９２は、枠体８０の内壁８１Ｂ上に配置され、レンズ４０の張出部４４を支持する。また、枠体８０の内壁８１Ｂには、フランジ部９２の下面に形成された位置決めピン（図示せず）が挿入される複数の位置決めピン挿入部８２が設けられている。筒壁部８１の外壁８１Ａには、照明装置１０の場合と同様に、装置本体１１がネジ止めされる。
【００５８】
図１０に示す例では、張出部４４のガイド部材９０（フランジ部９２）と対向する面（下面）に、複数の凹部４５が形成されている。各凹部４５は、例えば略同一円周上に略等間隔で形成される。フランジ部９２には、張出部４４が載置される部分に上方に突出した複数の突起９３が形成されている。突起９３は、張出部４４の凹部４５に嵌るように凹部４５と同じ間隔で複数形成される。凹部４５および突起９３を設けることで、レンズ４０が目的とする配置から径方向にずれることを防止できる。
【００５９】
縮径部９１の内面は、レンズ４０から出た光の一部を吸収する光吸収面であることが好ましい。この場合、縮径部９１の内面に当たる光を吸収してカットできるので、レンズ４０から出た光をさらに絞ることができ、グレアの低減機能が向上する。縮径部９１の内面には、縮径部５６の場合と同様に、光吸収率の高いフィラーを含有する塗膜が形成されていてもよく、また蒸着、メッキ、スパッタリング等により光を吸収する金属層、無機化合物層などが形成されていてもよい。或いは、ガイド部材９０が光吸収率の高い材料で構成されていてもよい。なお、縮径部９１の内面には反射面を形成することもできる。
【００６０】
ガイド部材９０の下端部には、縮径部９１の下端開口を塞ぐように透光性カバー５７が取り付けられている。透光性カバー５７は、透明な樹脂またはガラスで構成され、レンズ機能を有していてもよい。透光性カバー５７は、拡径部６０の第１開口６１の径よりも大きな径を有し、拡径部６０とガイド部材９０との間に配置される。また、透光性カバー５７の周縁部には、縮径部５６の内面とカバーとの隙間を塞ぐパッキン５８が取り付けられている。パッキン５８を設けることで、例えば透光性カバー５７が安定に固定されると共に、縮径部５６内への虫、埃等の侵入を防ぐことができる。
【符号の説明】
【００６１】
１０  照明装置、１１  装置本体、１２  ベース、１２Ａ  天板部、１２Ｂ  筒壁部、１３，１４  放熱フィン、１５，５４  フランジ部、１６，１７  貫通孔、１８  ネジ、２０  発光モジュール、２１  放熱シート、２３  封止部材、３０  ホルダ、３１  保持部、３２  窓孔、３３  凹部、３４，５５  締結部、４０  レンズ、４１  光出射面、４１ａ  湾曲面、４２  外周面、４３  凹部、４４  張出部、４５  凹部、４６，５８  パッキン、５０，８０  枠体、５１，８１  筒壁部、５１Ａ，８１Ａ  外壁、５１Ｂ，８１Ｂ  内壁、５２  取付バネ、５３  バネ固定部、５６，９１  縮径部、５７  透光性カバー、６０  拡径部、６１  第１開口、６２  第２開口、６３  内面、７０  第２配光制御部材、８２  位置決めピン挿入部、９０  ガイド部材、９２  フランジ部、９３  突起
【図１】
2019121492.tif 000003
【図２】
2019121492.tif 000004
【図３】
2019121492.tif 000005
【図４】
2019121492.tif 000006
【図５】
2019121492.tif 000007
【図６】
2019121492.tif 000008
【図７】
2019121492.tif 000009
【図８】
2019121492.tif 000010
【図９】
2019121492.tif 000011
【図１０】
2019121492.tif 000012